(57)【要約】【課題】  コンクリートブロック搬送・据付装置を使用して敷きモルタル上を乱すことなく敷きモルタルの厚さを確保することができるコンクリートブロックの搬送補助輪を提供するものである。【解決手段】  本考案は、コンクリートブロック搬送用連結具を有する左・右基材と後部継材とで構成する荷台部と、前部作動部は、車輪と車輪支持板とからなる前方走行部および車輪と車輪支持板とからなる昇降補助部とから構成されていて、それぞれの車輪が荷台部の前方に突出するように、それぞれの車輪支持板が前記荷台部の左・右基材の各々の先端部に軸支され、かつ前記左・右基材の各々の中間部に設けた油圧シリンダに連結されて回動可能となされており、また後部駆動部は、後輪を駆動する後輪駆動部と後輪を上下動させる油圧駆動部と操作部を備えたコンクリートブロック搬送・据付装置において、Ｌ型のプレートの立ち面側に車輪を取り付けた搬送補助輪をコンクリートブロックの前方両側下端に固定し、該搬送補助輪と前記後輪とで走行することを特徴とするコンクリートブロックの搬送補助輪を採用した。【選択図】  図２
0003106725.tif 000002
【実用新案登録請求の範囲】
【請求項１】
コンクリートブロック搬送用連結具を有する左・右基材と後部継材とで構成する荷台部と、前部作動部は、車輪と車輪支持板とからなる前方走行部および車輪と車輪支持板とからなる昇降補助部とから構成されていて、それぞれの車輪が荷台部の前方に突出するように、それぞれの車輪支持板が前記荷台部の左・右基材の各々の先端部に軸支され、かつ前記左・右基材の各々の中間部に設けた油圧シリンダに連結されて回動可能となされており、また後部駆動部は、後輪を駆動する後輪駆動部と後輪を上下動させる油圧駆動部と操作部を備えたコンクリートブロック搬送・据付装置において、Ｌ型のプレートの立ち面側に車輪を取り付けた搬送補助輪をコンクリートブロックの前方両側下端に固定し、該搬送補助輪と前記後輪とで走行することを特徴とするコンクリートブロックの搬送補助輪。
【考案の詳細な説明】
【技術分野】
【０００１】  本考案は、コンクリートブロック搬送・据付装置の走行の際に基礎上の敷きモルタルを踏み固めることがないコンクリートブロックの搬送補助輪に関するものである。
【背景技術】
【０００２】  従来のコンクリートブロックの据付はトラッククレーンで吊り上げて行っているが狭小な、坑内、道路、鉄道の高架等の場所には接近できないことから特開２００２−２８５６２７にあるようなコンクリートブロック搬送・据付装置が採用されていた。
しかし、この搬送・据付装置を使用してコンクリートブロックを搬送する場合、基礎上の敷きモルタルの上を走行するため装置の重みで敷きモルタル上に車輪の跡がつき適正な敷きモルタル厚が確保されず、人力で敷きモルタルを再度均していた。
【特許文献１】特開２００２−２８５６２７
【考案の開示】
【考案が解決しようとする課題】
【０００３】  本考案は、コンクリートブロック搬送・据付装置を使用して敷きモルタル上を乱すことなく敷きモルタルの厚さを確保することができるコンクリートブロックの搬送補助輪を提供するものである。
【課題を解決するための手段】
【０００４】  本考案は、コンクリートブロック搬送用連結具を有する左・右基材と後部継材とで構成する荷台部と、前部作動部は、車輪と車輪支持板とからなる前方走行部および車輪と車輪支持板とからなる昇降補助部とから構成されていて、それぞれの車輪が荷台部の前方に突出するように、それぞれの車輪支持板が前記荷台部の左・右基材の各々の先端部に軸支され、かつ前記左・右基材の各々の中間部に設けた油圧シリンダに連結されて回動可能となされており、また後部駆動部は、後輪を駆動する後輪駆動部と後輪を上下動させる油圧駆動部と操作部を備えたコンクリートブロック搬送・据付装置において、Ｌ型のプレートの立ち面側に車輪を取り付けた搬送補助輪をコンクリートブロックの前方両側下端に固定し、該搬送補助輪と前記後輪とで走行することを特徴とするコンクリートブロックの搬送補助輪を採用した。
【考案の効果】
【０００５】  コンクリートブロック搬送・据付装置を使用しコンクリートブロックに取り付けた搬送補助輪が敷きモルタルの外側を走行するので敷きモルタルを乱すことがなくなり人力作業による再敷き均しが不要となった。
【考案を実施するための最良の形態】
【０００６】  以下、本考案の搬送補助輪の実施例を図示に従って説明する。【０００７】  図１は、自走式のコンクリートブロック搬送・据付装置Ａに係る平面図であって、荷台部３と、該荷台部３に固設された後部駆動部２と、前記荷台部３の前端に枢支された前部作動部１とから構成されている。前記荷台部３は、左・右基材３１，３１と、駆動基部３３が固設された後部継材３４とで構成されており、前記左・右基材３１，３１の各々の先端部３１１，３１１には、前方走行部４と昇降補助部５とからなる前部作動部１が枢支され、かつ前記左・右基材３１，３１の各々の中間部には、前部作動部１の前方走行部４，昇降補助部５に連結した一対の油圧シリンダー６，６，７，７，７，７がそれぞれ枢支されており、前方走行部４は車輪４１，４１と車輪支持板４２，４２からなり、昇降補助部５も車輪５１，５１と車輪支持板５２，５２からなっており、車輪支持板４２，４２と油圧シリンダ６，６とが連結されており、車輪支持板５２，５２と油圧シリンダ７，７，７，７とが連結されている。また、後部駆動部２は、油圧駆動部２１と、後輪駆動部２２と、前・後輪の作動操作をなし、自在な運転を可能とする操作部２３と、後輪２４と後輪上下用油圧シリンダー２５とかじ取り連結プレート２６及びかじ取り油圧シリンダ２７とから構成されており、前記駆動基部３３に取り付けられている。
コンクリートブロックＢの前方両側下端には補助輪１１をボルト１４で固定することができ、補助輪１１と後輪２４とで走行することができる。【０００８】図２は、図１に示した自走式のコンクリートブロック搬送・据付装置Ａに係る側面図であって、荷台部３の下にはコンクリートブロックＢと連結するための結合金具３１２を間隔をおいて備えており、コンクリートブロックＢの下端部に補助輪１１を取り付け固定している。【０００９】図３は、図１に示した自走式のコンクリートブロック搬送・据付装置Ａに係る正面図であって、Ｌ形プレート１２に取り付けられた補助輪１１を指示棒１３を介してボルト１４にてコンクリートブロックＢの両側下端に固定している。【００１０】図４〜図６は、図１から図３に示した自走式のコンクリートブロック搬送・据付装置Ａを使用し、基礎Ｃ上の敷きモルタルＤを乱さないでボックスカルバートなどのコンクリートブロックＢを搬送・据付する手順の説明図である。【００１１】図４の（１）では、装置Ａが搬送するコンクリートブロックＢの位置にくると、操作部２３のレバー操作により油圧シリンダ７を伸長させ、昇降補助部５の車輪５１をコンクリートブロックＢの底版上にのせる。
図４の（２）では、油圧シリンダ７をさらに伸長させて前方走行部４の車輪４１に代わって昇降補助部５の車輪５１で装置Ａを前進させて、昇降補助部５の車輪５１と同様前方走行部４の車輪４１もコンクリートブロックＢの底版上にのせ、更に後輪２４を駆動して装置Ａを前進させる。
図４の（３）では、前方走行部４の車輪４１がコンクリートブロックＢの先端まで来たとき、油圧シリンダ７を伸長させて昇降補助部５を下降・接地させる。
図４の（４）では、後輪２４を駆動して装置Ａを更に前進させて、前方走行部４の車輪４１をコンクリートブロックＢの底版上から外れた位置に移動させた後、前方走行部４の車輪４１をコンクリートブロックＢをまたいで下降・接地させるので、ここで荷台部３がコンクリートブロックＢ上に位置することとなる。
油圧シリンダ６，７かつ油圧シリンダ２５を短縮させて後部駆動部２を低下させて、装置Ａの荷台部３をコンクリートブロックＢの底版に近接させ、コンクリートブロックＢの底版に植設されたインサートナット８とボルト９によりコンクリートブロックＢと荷台部３に取り付けられた結合金具３１２に連結する。【００１２】図５の（１）では、油圧シリンダ６を伸長させて前方走行部４の車輪４１のみを起立・接地させ、かつ油圧シリンダ２５を伸長させて後部駆動部２を上昇させて、装置Ａの荷台部３によりコンクリートブロックを引き上げ装置Ａを前進させる。
図５の（２）では、車輪４１が基礎Ｃ上の敷きモルタルＤの手前で装置Ａを止め、補助輪１１をコンクリートブロックＢの両側下端にボルト１４で固定する。
図５の（３）では、油圧シリンダ６を短縮させて車輪４１を引き上げ敷きモルタルＤ上を走行しない位置を維持しながら、補助輪１１と後輪２４とで装置Ａを前進させる。【００１３】図６の（１）では、コンクリートブロックＢを補助輪１１と後輪２４とで装置Ａを前進させて、既設コンクリートブロックＢ１の接地位置に移動させた後、油圧シリンダ７を伸長させ車輪５１を既設コンクリートブロックＢ１底版上にのせ、この状態を維持しながら、補助輪１１を解除する。
図６の（２）では、補助輪１１を解除した後、油圧シリンダ６を短縮させて車輪４１を所要高さに引き上げ、この状態を維持しながら、後輪２４を駆動して装置Ａを前進させて、車輪４１も既設のコンクリートブロックＢ１の底版上にのせ、さらに後輪２４を駆動して装置Ａを前進させる
図６の（３）では、油圧シリンダ６，７かつ油圧シリンダ２５を短縮させコンクリートブロックＢを既設コンクリートブロックＢ１に接続させる。
【図面の簡単な説明】
【００１４】
【図１】本考案の搬送用補助輪を取り付けたコンクリートブロック搬送・据付装置の平面図である。
【図２】図１に示したコンクリートブロック搬送・据付装置の側面図である。
【図３】図１に示したコンクリートブロック搬送・据付装置の正面図である。
【図４】図１に示したコンクリートブロック搬送・据付装置の荷台部にコンクリートブロックを連結させるための手順図である。
【図５】図４に引き続いて、コンクリートブロックの搬送から補助輪を取り付けての搬送までの手順図である。
【図６】図５に引き続いて、コンクリートブロックに補助輪を取り付けての搬送から据付までの手順図である。
【符号の説明】
【００１５】Ａ  コンクリートブロック搬送・据付装置
Ｂ，Ｂ１  コンクリートブロック
Ｃ  基礎
Ｄ  敷きモルタル
１  前部作動部
２  後部駆動部
３  荷台部
４  前方走行部
５  昇降補助部
６、７  油圧シリンダー
１１  補助輪
【図１】
0003106725.tif 000003
【図２】
0003106725.tif 000004
【図３】
0003106725.tif 000005
【図４】
0003106725.tif 000006
【図５】
0003106725.tif 000007
【図６】
0003106725.tif 000008